(57)【特許請求の範囲】
【請求項１】
廃棄物を埋め立てる廃棄物層と、
廃棄物層と外部の境界に立設する止水構造物と、
止水構造物の外部に隣接して形成する護岸構造物と、
護岸構造物の背面側に、かつ、止水構造物に隣接して形成する背面層と、
前記背面層に設置したサンプリング装置を有し、
前記サンプリング装置は遮水シートと、該遮水シートの下端部に取り付ける集水部と、該集水部に取り付け、背面層表面まで伸延する井戸管からなり、
前記集水部は背面層の底部に位置し、遮水シートは止水構造物に沿って背面層を鉛直方向に仕切るように背面層の表面まで連続して張設した、
廃棄物埋立護岸構造。
【請求項２】
廃棄物を埋め立てる廃棄物層と、
廃棄物層と外部の境界に立設する止水構造物と、
止水構造物の外部に隣接して形成する護岸構造物と、
護岸構造物の背面側に、かつ、止水構造物に隣接して形成する背面層と、
前記背面層に設置したサンプリング装置を有し、
前記サンプリング装置は、前記止水構造物に対向させて背面層の表面から鉛直方向に、かつ、互いに間隔を隔てて複数立設した集水部と、前記複数立設した集水部間に取り付けて張設した遮水シートからなり、
前記遮水シートは止水構造物に沿って背面層を鉛直方向に仕切るように背面層の表面まで連続して張設した、
廃棄物埋立護岸構造。
【請求項３】
前記集水部は、周面に多数孔を有する集水管及びに該集水管の周囲に設けたフィルターからなることを特徴とする、前記請求項１又は請求項２に記載の廃棄物埋立護岸構造。
【請求項４】
前記護岸構造物の前記背面層側側面と前記背面層の底面に遮水シートを敷設したことを特徴とする前記請求項１乃至請求項３の何れか１つに記載した廃棄物埋立護岸構造。
【発明の詳細な説明】
【０００１】
【発明の属する技術分野】
本発明は、廃棄物埋立護岸構造に関するものである。
【０００２】
【従来の技術】
廃棄物埋立護岸の止水構造物の破損の監視は、例えば廃棄物埋立護岸の止水構造物と護岸構造物との間の地盤や地下水等の検体をサンプリングし、採取した検体に有害物質が含まれているかを分析すること等により行っている。
従来このサンプリング方法としては、サンプリング地点に一定の間隔で井戸を設ける等して検体を採取していた。
【０００３】
【本発明が解決しようとする課題】
しかし前記したサンプリング方法にあっては、次のような問題点がある。
＜イ＞廃棄物埋立護岸の止水構造物と護岸構造物との間に存する水により、漏出物が希釈されてしまうため、有害物質の漏出があるにもかかわらず分析の検出限界を下回ってしまうような検体しか採取できない場合があった。
＜ロ＞広大な面積を有する採取区域において、点による採取しかできなかった。したがって、井戸の設置間隔の中央で有害物質が漏出した場合には、有害物質を含む検体を採取できないことから有害物質の検出洩れを招いていた。
【０００４】
【本発明の目的】
本発明は、上記したような従来の問題を解決するためになされたもので、漏出物の希釈化および検出洩れを防止できる廃棄物埋立護岸構造を提供することを目的とする。
【０００５】
【課題を解決するための手段】
上記のような目的を達成するために、本発明は、廃棄物を埋め立てる廃棄物層と、廃棄物層と外部の境界に立設する止水構造物と、止水構造物の外部に隣接して形成する護岸構造物と、護岸構造物の背面側に、かつ、止水構造物に隣接して形成する背面層と、前記背面層の止水構造物に設置したサンプリング装置を有し、前記サンプリング装置は遮水シートと、該遮水シートの下端部に取り付ける集水部と、該集水部に取り付け、背面層表面まで伸延する井戸管からなり、前記集水部は背面層の底部に位置し、遮水シートは止水構造物に沿って背面層を鉛直方向に仕切るように背面層の表面まで連続して張設した廃棄物埋立護岸構造である。
また、廃棄物を埋め立てる廃棄物層と、廃棄物層と外部の境界に立設する止水構造物と、止水構造物の外部に隣接して形成する護岸構造物と、護岸構造物の背面側に、かつ、止水構造物に隣接して形成する背面層と、前記背面層に設置したサンプリング装置を有し、前記サンプリング装置は、前記止水構造物に対向させて背面層の表面から鉛直方向に、かつ、互いに間隔を隔てて複数立設した集水部と、前記複数立設した集水部間に取り付けて張設した遮水シートからなり、前記遮水シートは止水構造物に沿って背面層を鉛直方向に仕切るように背面層の表面まで連続して張設した、廃棄物埋立護岸構造である。
また、前記集水部は、周面に多数孔を有する集水管及びに該集水管の周囲に設けたフィルターからなることを特徴とする、前記記載の廃棄物埋立護岸構造である。
また、前記護岸構造物の前記背面層側側面と前記背面層の底面に遮水シートを敷設したことを特徴とする前記何れかに記載した廃棄物埋立護岸構造である。
【０００６】
【本発明の実施の形態】
以下図面を参照しながら本発明の実施例について説明する。
【０００７】
＜イ＞サンプリング装置の構成
図１に示すように、サンプリング装置１は、周面に多数孔を有する集水管１１ａ及びに該集水管１１ａの周囲に設けたフィルター１１ｂからなる集水部１１と、該集水管１１ａに取り付ける遮水シート１２とから構成する。
【０００８】
＜ロ＞集水部
集水部１１は、周面に多数孔を有する集水管１１ａ及びに該集水管１１ａの周囲に設けたフィルター１１ｂから構成する。
【０００９】
＜ハ＞集水管
集水管１１ａは、周面に多数孔を有する公知の管を使用する。
集水管１１ａの周面に有する多数孔は、採取対象物のサンプリングに必要な大きさ及び数とする。集水管１１ａの周面に多数孔を有することにより、集水管１１ａの端部からだけでなく集水管１１ａの全周囲からサンプリングすることができる。
【００１０】
＜ニ＞フィルター
フィルター１１ｂは、集水管１１ａの周囲に設ける。例えば集水管１１ａを囲繞するように設けると効果的である。フィルター１１ｂはパイプ管の目詰まりの原因となる土等の通過を阻止できるものであれば良く、例えば不織布をパイプ管の周囲に設けることによりパイプ管の多数孔が目詰まりすることを防止することができる。
【００１１】
＜ホ＞遮水シート
遮水シート１２は、例えばＥＰＲ（エチレン、プロビレン、ゴム）系、アスファルト系、及びに塩化ビニール系等の公知の遮水シートを利用する。
遮水シート１２は集水部１１に取り付ける。遮水シート１２は、集水部１１の集水管１１ａないしフィルター１１ｂの何れに取り付けてもよい。遮水シート１２を集水部１１のフィルター１１ｂに取り付けた場合には、フィルター１１ｂは帯状に巻かれていることから遮水シート１２及びフィルター１１ｂを配置した後、集水管１１ａをフィルター１１ｂの帯内に挿入することによりサンプリング装置１を設置できる。
遮水シート１２の大きさは、集水管１１ａの長さや設置範囲を考慮して適宜設定する。
【００１２】
【実施例１】
本実施例においては新設の廃棄物埋立護岸の止水構造物において行うサンプリング方法について図１及び図３に基づき説明する。
＜イ＞サンプリング装置の設置
護岸構造物３と廃棄物埋立護岸の止水構造物２との間に背面層６を形成するための空間を設ける。この空間に砕石等の透水材を充填する前に、現場にサンプリング装置１を搬入して設置する。
【００１３】
護岸構造物３の背面層６側の側面と背面層６の底面に遮水シート１２を敷設する。
これによって、前記底面からの地下水等の浸水を防止することができる。
背面層６の廃棄物埋立護岸の止水構造物２に近接する側に、サンプリング装置１の集水部１１を透水層の底面に這わせて設置する。
集水部１１は鉛直方向に設置する場合もある。
集水部１１に取り付ける遮水シート１２を鉛直方向に向けて張設する。
井戸管５を集水管１１ａから背面層６表面に向けて必要数設置する。井戸管５は、背面層６の底面に設置した集水管１１ａにより採取した漏出物等の検体を背面層６の外へ汲み上げるための経路となる部材であり、汲み上げ場所の地質を考慮して検体の汲み上げに適した公知のパイプ管を使用する。
集水部１１の周囲を砕石７で覆う（図３参照）。
【００１４】
＜ロ＞土等の埋め戻し
護岸構造物３と廃棄物埋立護岸の止水構造物２との間に背面層６を形成するための空間内にサンプリング装置１を設置し終えたら当該空間内に土、砂、砕石等を埋め戻す。
こうして背面層６が完成する。
【００１５】
＜ハ＞サンプリングの実施
井戸管５を通じて集水管１１ａから検体のサンプリングを行う。
サンプリングした検体は、モニタリングを行うなど所定の用に供することができる。
このようにしてサンプリングされた検体は、廃棄物層４の有害物質が止水構造物２から漏出した場合であっても希釈されないため有害物質の検出洩れのない信頼性の高いモニタリングが可能である。
【００１６】
【実施例２】
本実施例においては既設の廃棄物埋立護岸の止水構造物２の背面において行うサンプリング方法について説明する。既設の廃棄物埋立護岸の止水構造物２においては、護岸構造物３と廃棄物埋立護岸の止水構造物２との間に既に透水材が充填された背面層６が形成されているため、この背面層６内にサンプリング装置１を埋設する。
【００１７】
前記背面層６の止水構造物に近接する側に、集水部１１を鉛直方向に向けて設置する(図２参照)。ここで、集水部１１の設置は鉛直方向に限られるわけではなく、背面層６の底部に水平方向に設置する場合もある（図１参照）。かかる場合には集水管１１ａにより採取した漏出物等の検体を背面層６の外へ汲み上げるための経路となる井戸管５を集水管１１ａから背面層６表面に向けて必要数設置する。
集水部１１は、設置場所の広さに応じて必要数設置する
前記遮水シート１２を鉛直方向に張設する。特に集水部１１を複数設置した場合には、図２に示すように各集水部１１の間を遮水シート１２で塞ぐようにして張設する。
こうしてサンプリング装置１の設置が完了する。
背面層６の表面に露出した集水管１１ａから検体のサンプリングを行うことができる。
【００１８】
本実施例における集水部１１と遮水シート１２の設置は、公知の鉛直シート工法を利用してそのまま設置することも可能である。
既設の廃棄物埋立護岸の止水構造物２背面の背面層６にサンプリング装置１を設置する場合であっても深度が浅く掘削が可能である場合には前述の実施例１と同様の方式を採用してもよい。
【００１９】
【本発明の効果】
本発明は、以上説明したようになるから次のような効果を得ることができる。
＜イ＞集水部に取り付ける遮水シートにより、廃棄物層の止水構造物からの漏出物は遮水シートを通過できないため、止水構造物の破損個所から離れた場所に集水管が設置されていても漏出物が原液に近い形で集水管に集中する。この結果、従来の点によるサンプリングと異なり、集水部の設置間隔の中央で有害物質が漏出した場合でも洩れなく検出できる。
＜ロ＞サンプリング装置を背面層の廃棄物埋立護岸の止水構造物に近接する側に設置していることから、止水構造物からの漏出物の自由な希釈化を防止することができる。
＜ハ＞止水構造物の背面層側側面と背面層の底面とに遮水シートを敷設する場合には、背面層底面からの地下水等の浸水を防止することができる。この結果、浸水による漏出物の希釈化を阻止することができる。
＜ニ＞周面に多数孔を有する集水管の周囲にフィルターを設けていることから、集水管の周面に有する多数孔の目詰まりを防止できる。
【図面の簡単な説明】
【図１】本発明の説明図。
【図２】本発明の説明図。
【図３】実施例の説明図。
【符号の説明】
１・・・・サンプリング装置
１１・・・集水部
１１ａ・・集水管
１１ｂ・・フィルター
１２・・・遮水シート
２・・・・止水構造物
３・・・・護岸構造物
４・・・・廃棄物層
５・・・・井戸管
６・・・・背面層
７・・・・砕石
【図１】
0004518530.tif 000002
【図２】
0004518530.tif 000003
【図３】
0004518530.tif 000004